(57)【要約】【課題】  メモリ内蔵シートのメモリから読み取ったメモリ情報に基づく内容のうち必要のある内容を出力可能な情報出力装置、画像処理装置および情報出力方法を提供することを目的とする。【解決手段】  メモリ内蔵シート１００から情報を読み取り、その情報に基づく内容を出力する情報出力装置であって、メモリ内蔵シート１００を走査して画像情報を読み取るスキャナ手段２と、メモリ内蔵シート１００のメモリ１１０からメモリ情報を読み取るリーダ手段４４と、メモリ情報を操作画面に表示し、メモリ情報に基づく内容をユーザに選択させる操作手段６と、スキャナ手段２が読み取った画像情報と、ユーザにより選択されたメモリ情報に基づく内容とを出力する出力手段３とを有することにより上記課題を解決する。【選択図】  図７
2005354590.tif 000002
【特許請求の範囲】
【請求項１】
メモリ内蔵シートから情報を読み取り、前記メモリ内蔵シートから読み取った情報に基づく内容を出力する情報出力装置であって、
前記メモリ内蔵シートを走査して、メモリ内蔵シートから画像情報を読み取るスキャナ手段と、
前記メモリ内蔵シートのメモリからメモリ情報を読み取るリーダ手段と、
前記メモリ情報を操作画面に表示し、メモリ情報に基づく内容をユーザに選択させる操作手段と、
前記スキャナ手段が読み取った画像情報と、ユーザにより選択されたメモリ情報に基づく内容とを出力する出力手段と
を有することを特徴とする情報出力装置。
【請求項２】
前記操作手段は、メモリ情報に基づく内容のページ番号を操作画面に表示し、ページ番号を指定させることで、前記メモリ情報に基づく内容の少なくとも一部をユーザに選択させることを特徴とする請求項１記載の情報出力装置。
【請求項３】
前記操作手段は、メモリ情報に基づく内容の目次を操作画面に表示し、目次の項目を指定させることで、前記メモリ情報に基づく内容の少なくとも一部をユーザに選択させることを特徴とする請求項１記載の情報出力装置。
【請求項４】
前記操作手段は、メモリ情報に基づく内容の画像見本を操作画面に表示し、画像見本を指定させることで、前記メモリ情報に基づく内容の少なくとも一部をユーザに選択させることを特徴とする請求項１記載の情報出力装置。
【請求項５】
前記操作手段は、ユーザからの指示により画像見本を拡大して操作画面に表示することを特徴とする請求項４記載の情報出力装置。
【請求項６】
前記操作手段は、メモリ情報に基づく内容の格納場所を操作画面に表示し、格納場所を指定させることで、前記メモリ情報に基づく内容の少なくとも一部をユーザに選択させることを特徴とする請求項１記載の情報出力装置。
【請求項７】
前記操作手段は、ユーザにより指定された格納場所から前記メモリ情報に基づく内容を取得することを特徴とする請求項６記載の情報出力装置。
【請求項８】
前記操作手段は、ユーザにより指定された格納場所から前記メモリ情報に基づく内容の取得に失敗すると、その旨を操作画面に表示することを特徴とする請求項７記載の情報出力装置。
【請求項９】
前記出力手段は、前記スキャナ手段が読み取った画像情報と、ユーザにより選択されたメモリ情報に基づく内容とを、印刷，電子メール又はファイル転送で出力することを特徴とする請求項１乃至８何れか一項記載の情報出力装置。
【請求項１０】
前記リーダ手段は、前記メモリ内蔵シートのメモリを検出しなかったとき、又は前記メモリ内蔵シートのメモリを複数検出したときに、前記メモリ内蔵シートのメモリからメモリ情報を読み取る処理を停止すると共に、前記メモリ内蔵シートから読み取った画像情報を出力することを特徴とする請求項１乃至９何れか一項記載の情報出力装置。
【請求項１１】
前記リーダ手段は、前記メモリ内蔵シートの無線タグからメモリ情報を読み取ることを特徴とする請求項１乃至１０何れか一項記載の情報出力装置。
【請求項１２】
前記出力手段は、メモリ情報に基づく内容を前記画像情報の詳細情報として出力することを特徴とする請求項１乃至１１何れか一項記載の情報出力装置。
【請求項１３】
メモリ内蔵シートから情報を読み取り、前記メモリ内蔵シートから読み取った情報に基づく内容を出力する画像処理装置であって、
前記メモリ内蔵シートを走査して、メモリ内蔵シートから画像情報を読み取るスキャナ手段と、
前記メモリ内蔵シートのメモリからメモリ情報を読み取るリーダ手段と、
前記メモリ情報を操作画面に表示し、メモリ情報に基づく内容をユーザに選択させる操作手段と、
前記スキャナ手段が読み取った画像情報と、ユーザにより選択されたメモリ情報に基づく内容とを出力する出力手段と
を有することを特徴とする画像処理装置。
【請求項１４】
メモリ内蔵シートから情報を読み取り、前記メモリ内蔵シートから読み取った情報に基づく内容を出力する情報出力方法であって、
メモリ内蔵シートからスキャナ手段の走査により読み取られた画像情報と、メモリ内蔵シートのメモリからリーダ手段により読み取られたメモリ情報とが操作画面に表示される表示段階と、
メモリ情報に基づく内容が前記操作画面からユーザに選択され、画像情報と、ユーザに選択されたメモリ情報に基づく内容とを出力する出力段階と
を有することを特徴とする情報出力方法。
【請求項１５】
前記表示段階は、メモリ情報に基づく内容のページ番号を操作画面に表示し、前記出力段階はページ番号を指定させることで、前記メモリ情報に基づく内容の少なくとも一部をユーザに選択させることを特徴とする請求項１４記載の情報出力方法。
【請求項１６】
前記表示段階は、メモリ情報に基づく内容の目次を操作画面に表示し、前記出力段階は目次の項目を指定させることで、前記メモリ情報に基づく内容の少なくとも一部をユーザに選択させることを特徴とする請求項１４記載の情報出力方法。
【請求項１７】
前記表示段階は、メモリ情報に基づく内容の画像見本を操作画面に表示し、前記出力段階は画像見本を指定させることで、前記メモリ情報に基づく内容の少なくとも一部をユーザに選択させることを特徴とする請求項１４記載の情報出力方法。
【請求項１８】
前記表示段階は、ユーザからの指示により画像見本を拡大して操作画面に表示することを特徴とする請求項１７記載の情報出力方法。
【請求項１９】
前記表示段階は、メモリ情報に基づく内容の格納場所を操作画面に表示し、前記出力段階は格納場所を指定させることで、前記メモリ情報に基づく内容の少なくとも一部をユーザに選択させることを特徴とする請求項１４記載の情報出力方法。
【請求項２０】
前記出力段階は、ユーザにより指定された格納場所から前記メモリ情報に基づく内容を取得することを特徴とする請求項１９記載の情報出力方法。
【発明の詳細な説明】
【技術分野】
【０００１】
本発明は、情報出力装置、画像処理装置および情報出力方法に係り、特にメモリ内蔵シートから情報を読み取り、その情報に基づく内容を出力する情報出力装置、画像処理装置および情報出力方法に関する。
【背景技術】
【０００２】
近年、固有ＩＤを持つ小さなタグを無線で認識するＲＦＩＤ（Ｒａｄｉｏ  Ｆｒｅｑｕｅｎｃｙ  Ｉｄｅｎｔｉｆｉｃａｔｉｏｎ）と呼ばれる技術が注目されている。この技術を使ったタグは、ＲＦＩＤタグ，無線タグ，ＩＣタグ等と呼ばれる。特許文献１には、ＲＦＩＤタグを原稿に設け、文字や図形等の視認情報を印字し、デジタルデータをＲＦＩＤタグに記録する内容が記載されている。従来のＲＦＩＤタグを設けた原稿では、概要情報を視認情報として印字し、詳細情報をデジタルデータとしてＲＦＩＤタグに記録することにより、ＴＣＯ（Ｔｏｔａｌ  Ｃｏｓｔ  ｏｆ  Ｏｗｎｅｒｓｈｉｐ）の削減が図られていた。
【特許文献１】特開２００２−３３７４２６号公報
【発明の開示】
【発明が解決しようとする課題】
【０００３】
従来のＲＦＩＤタグを設けた原稿では、概要情報だけを見て詳細情報の必要性をある程度判断できるため、詳細情報を必要としない場合に詳細情報を出力しないことでＴＣＯの削減が図られていた。
【０００４】
しかしながら、ユーザは詳細情報の一部を必要としている場合もある。従来の情報出力装置等では、詳細情報の一部のみを必要とする場合であっても、ＲＦＩＤタグに記録された詳細情報を全て出力してしまう。即ち、従来の情報出力装置等では詳細情報の一部を必要としている場合に、必要のないページを出力してしまう。したがって、従来の情報出力装置等ではＴＣＯの削減が図れない場合があるという問題があった。
【０００５】
本発明は、上記の点に鑑みなされたもので、メモリ内蔵シートのメモリから読み取ったメモリ情報に基づく内容のうち必要のある内容を出力可能な情報出力装置、画像処理装置および情報出力方法を提供することを目的とする。
【課題を解決するための手段】
【０００６】
上記課題を解決するため、本発明は、メモリ内蔵シートから情報を読み取り、前記メモリ内蔵シートから読み取った情報に基づく内容を出力する情報出力装置であって、前記メモリ内蔵シートを走査して、メモリ内蔵シートから画像情報を読み取るスキャナ手段と、前記メモリ内蔵シートのメモリからメモリ情報を読み取るリーダ手段と、前記メモリ情報を操作画面に表示し、メモリ情報に基づく内容をユーザに選択させる操作手段と、前記スキャナ手段が読み取った画像情報と、ユーザにより選択されたメモリ情報に基づく内容とを出力する出力手段とを有することを特徴とする。なお、本発明は、画像処理装置および情報出力方法としてもよい。
【０００７】
本発明では、メモリ内蔵シートのメモリから読み取ったメモリ情報を操作画面に表示してメモリ情報に基づく内容をユーザに選択させ、ユーザにより選択されたメモリ情報に基づく内容を出力できる。
【発明の効果】
【０００８】
本発明によれば、メモリ内蔵シートのメモリから読み取ったメモリ情報に基づく内容のうち必要のある内容を出力可能な情報出力装置、画像処理装置および情報出力方法を提供可能である。
【発明を実施するための最良の形態】
【０００９】
次に、本発明を実施するための最良の形態を、以下の実施例に基づき図面を参照しつつ説明していく。図１は、本発明による画像処理装置の一実施例のハードウェア構成図である。なお、画像処理装置は情報出力装置の一例である。
【００１０】
画像処理装置は、コントローラ１，スキャナ２，プロッタ３，原稿給紙装置４，後処理装置５，操作部６，個人認証装置７を含むように構成される。コントローラ１は、スキャナ２，プロッタ３，操作部６及び個人認証装置７と接続されており、スキャナ２，プロッタ３，操作部６及び個人認証装置７を制御している。スキャナ２は原稿給紙装置４と接続されており、原稿給紙装置４を制御している。また、プロッタ３は後処理装置５と接続されており、後処理装置５を制御している。なお、スキャナ２にはＲＦＩＤリーダ／ライタが含まれる。
【００１１】
図２は、本発明による画像処理装置の一実施例のソフトウェア構成図である。画像処理装置は、コントローラ１，エンジンＩ／Ｆ４０，プロッタエンジン４１，スキャナエンジン４２，ＲＦＩＤ  Ｉ／Ｆ４３，ＲＦＩＤリーダ／ライタ４４，操作部Ｉ／Ｆ４５，操作部４６，認証装置Ｉ／Ｆ４７，認証装置４８を含むように構成される。
【００１２】
コントローラ１は、ＲＦＩＤアプリ１０，コピーアプリ１１，スキャナアプリ１２，ＦＡＸアプリ１３，プリンタアプリ１４，蓄積データアプリ１５，Ｗｅｂアプリ１６，ネットワークアプリ１７，エンジンジョブ制御部２１，ファイル制御部２２，データ転送制御部２３，通信制御部２４，認証制御部２５，ユーザデータ制御部２６，システム制御部２７，操作制御部２８，メモリリソース管理部３０，エンジンリソース管理部３１，ＵＮＩＸ（登録商標）などのＯＳ（オペレーティングシステム）３２，デバイスドライバ３３を起動する。なお、コントローラ１はネットワーク８からダウンロードされたダウンロードアプリ１８を起動することもできる。
【００１３】
コントローラ１は、エンジンＩ／Ｆ４０を介してプロッタエンジン４１及びスキャナエンジン４２を制御する。コントローラ１は、操作部Ｉ／Ｆ４５を介して操作部４６を制御する。また、コントローラ１は認証装置Ｉ／Ｆ４７を介して認証装置４８を制御する。なお、コントローラ１は新規デバイスＩ／Ｆ４９を介して新規デバイス５０を制御することもできる。スキャナエンジン４２は、ＲＦＩＤ  Ｉ／Ｆ４３を介してＲＦＩＤリーダ／ライタ４４を制御する。
【００１４】
コントローラ１は、スキャナエンジン４２及びＲＦＩＤリーダ／ライタ４４を直接または間接的に制御することで、ＲＦＩＤタグを付けた原稿（以下、単に原稿という）から画像情報を読み取ると共に、ＲＦＩＤタグからメモリ情報を読み取る。原稿は、メモリ内蔵シートの一例である。また、ＲＦＩＤタグはメモリ内蔵シートのメモリの一例である。
【００１５】
図３は、スキャナ、ＲＦＩＤリーダ／ライタ及び原稿の関係を表した図である。スキャナ２は、ＲＦＩＤリーダ／ライタ４４を制御して、原稿１００のＲＦＩＤタグ１１０からメモリ情報を読み取る一方、ＲＦＩＤタグ１１０にメモリ情報を書き込む。ＲＦＩＤタグ１１０のメモリ情報は、固有ＩＤ，メーカーＩＤ，情報バージョン，内容タイトル，アプリケーション，利用者情報，目次情報，目次ページ情報，目次サイズ情報，ＵＲＬ，画像データ等で構成される。
【００１６】
図４は、原稿給紙装置にセットされた原稿から画像情報およびメモリ情報を読み取る画像処理装置の一例の模式図である。図５は、原稿給紙装置にセットされた原稿から画像情報およびメモリ情報を読み取って出力する処理の一例のシーケンス図である。なお、図４の（１）〜（４）は原稿１００が経路を移動する順序を表している。
【００１７】
ステップＳ１に進み、ユーザは原稿１００を原稿給紙装置４にセットする。ステップＳ２に進み、ユーザは操作部６を操作して原稿１００のＲＦＩＤタグ１１０からメモリ情報を読み取るＲＦＩＤモードに設定する。ステップＳ３に進み、ユーザは操作部６のスタートキーを押下する。
【００１８】
ステップＳ４に進み、操作部６はコントローラ１に処理開始を指示する。ステップＳ５に進み、コントローラ１は原稿読み取りモードの原稿給紙スタートをスキャナ２に指示する。ステップＳ６に進み、スキャナ２は原稿読み取りモードの原稿給紙スタートを原稿給紙装置４に指示する。原稿給紙装置４は、スキャナ２から原稿給紙スタートを指示されると、原稿給紙処理を開始する。ステップＳ７に進み、コントローラ１はスキャナ２にスキャンスタートを指示する。
【００１９】
原稿給紙装置４は、図４（１）に表した原稿１００が、スキャン動作を行う画像位置に到達すると、ステップＳ８に進み、その旨をスキャナ２に通知する。ステップＳ９に進み、スキャナ２はスキャン動作を開始すると共に、画像位置に到達した旨をコントローラ１に通知する。
【００２０】
ステップＳ１０に進み、コントローラ１はスキャナ２に画像転送ＯＫを通知する。ステップＳ１１に進み、スキャナ２は移動する原稿１００からスキャンした画像情報のコントローラ１に対する転送を開始する。コントローラ１は、スキャナ２から転送された画像情報をフレームメモリに展開する。
【００２１】
なお、キャリッジ１３０にはＲＦＩＤリーダ／ライタ４４が装着されている。ＲＦＩＤリーダ／ライタ４４は、移動する原稿１００のＲＦＩＤタグ１１０の位置を検出する。ＲＦＩＤタグ１１０の位置を検出すると、ＲＦＩＤリーダ／ライタ４４はＲＦＩＤタグ１１０の位置をスキャナ２に通知する。
【００２２】
ステップＳ１２に進み、スキャナ２はＲＦＩＤタグ１１０の位置をコントローラ１に通知する。また、スキャナ２は原稿１００に対するスキャン動作が終了すると、ステップＳ１３に進み、原稿１００からスキャンした画像情報のコントローラ１に対する転送を終了する。ステップＳ１４に進み、コントローラ１は原稿排紙をスキャナ２に指示する。ステップＳ１５に進み、スキャナ２は原稿排紙を原稿給紙装置４に指示する。原稿給紙装置４は、スキャナ２から原稿排紙を指示されると、原稿排紙処理を開始する。
【００２３】
ステップＳ１６に進み、コントローラ１はメモリリード動作の為、スキャナ２にキャリッジ１３０の移動を指示する。スキャナ２は、キャリッジ１３０を矢印１４４の方向に移動させ、ＲＦＩＤリーダ／ライタ４４がＲＦＩＤタグ１１０と近接する位置でキャリッジ１３０を停止させる。
【００２４】
原稿給紙装置４は、原稿１００が図４（４）の位置に到達すると、ステップＳ１７に進み、原稿排紙終了をスキャナ２に通知する。ステップＳ１８に進み、スキャナ２はスキャン終了をコントローラ１に通知する。ステップＳ１９に進み、スキャナ２は排紙された原稿１００のＲＦＩＤタグ１１０の位置にＲＦＩＤリーダ／ライタ４４が移動した旨をコントローラ１に通知する。
【００２５】
ステップＳ２０に進み、コントローラ１はスキャナ２に対してＲＦＩＤタグ１１０に対するリード命令を通知する。スキャナ２は、ＲＦＩＤリーダ／ライタ４４を制御してＲＦＩＤタグ１１０からメモリ情報を読み取る。ステップＳ２１に進み、スキャナ２はＲＦＩＤタグ１１０から読み取ったメモリ情報をコントローラ１に転送する。
【００２６】
ステップＳ２２に進み、コントローラ１はＲＦＩＤタグ１１０から読み取ったメモリ情報に基づき、後述する実施例のような画面を操作部６に表示させる。ユーザは、操作部６に表示されたメモリ情報を確認し、メモリ情報に基づく内容の一部又は全部を出力対象として選択する。ステップＳ２３に進み、ユーザは操作部６を操作して原稿１００から読み取った画像情報およびメモリ情報を印刷処理または転送処理するモードに設定する。ステップＳ２４に進み、ユーザは操作部６のスタートキーを再度押下する。ステップＳ２５に進み、操作部６はユーザに設定されたモードをコントローラ１に通知する。コントローラ１は、ユーザに設定されたモードに基づき、ＲＦＩＤタグ１１０から読み取ったメモリ情報をフレームメモリに展開する。
【００２７】
ステップＳ２６に進み、コントローラ１はスキャナ２に対してＲＦＩＤタグ１１０に対するライト命令を通知する。スキャナ２は、ＲＦＩＤリーダ／ライタ４４を制御してＲＦＩＤタグ１１０にメモリ情報を書き込む。ステップＳ２７に進み、スキャナ２はコントローラ１に対してライト終了を通知する。
【００２８】
ステップＳ２８に進み、コントローラ１はスキャナ２に対して、キャリッジ１３０をホームポジションに戻すように指示する。スキャナ２は、キャリッジ１３０をホームポジションを戻す。ステップＳ２９に進み、スキャナ２はキャリッジ１３０をホームポジションを戻した旨をコントローラ１に通知する。
【００２９】
ステップＳ３０に進み、コントローラ１はプロッタ３にプリント（印刷）スタートを指示する。プロッタ３は、コントローラ１からプリントスタートを指示されると、フレームメモリに展開されている画像情報およびメモリ情報に対する印刷処理を開始する。ステップＳ３０では、コントローラ１がメール転送スタートを指示することで、フレームメモリに展開されている画像情報およびメモリ情報に対するメール転送処理を開始することもできる。
【００３０】
メール転送処理が終了すると、ステップＳ３１に進み、コントローラ１はメール転送終了が通知される。また、印刷処理が終了すると、プロッタ３はステップＳ３２に進み、コントローラ１に対してプリント終了を通知する。ステップＳ３３に進み、コントローラ１はプリント終了を操作部６に通知する。操作部６には、例えばプリント終了を表す画面が表示される。ステップＳ３４に進み、ユーザはプロッタ３からの印刷出力を取得することができる。
【００３１】
図６は、ＲＦＩＤリーダ／ライタの装着位置を表した模式図である。図６は、画像処理装置のコンタクトガラス面を上方向から見た様子を表している。キャリッジ１３０には、矢印１４３の原稿幅方向の中央付近に、ＲＦＩＤリーダ／ライタ４４が装着されている。ＲＦＩＤリーダ／ライタ４４は、矢印１４３の原稿幅分をカバーできる必要最低限の電波強度とする。例えばＲＦＩＤリーダ／ライタ４４は、範囲１４２に含まれるＲＦＩＤタグ１１０を検出可能な必要最低限の電波強度でよい。
【００３２】
ＲＦＩＤリーダ／ライタ４４は、スキャン動作により原稿１００が図４（２）の位置を移動するとき、原稿１００のＲＦＩＤタグ１１０の位置を検出する。ＲＦＩＤリーダ／ライタ４４は、メモリリード動作によりキャリッジ１３０が矢印１４４の方向に移動するとき、ＲＦＩＤタグ１１０が近接する位置に停止して、ＲＦＩＤタグ１１０からメモリ情報を読み取る。したがって、ＲＦＩＤリーダ／ライタ４４は電波強度を弱くしても、ＲＦＩＤタグ１１０からメモリ情報を正確かつ効率良く読み取ることができる。
【００３３】
以下、ＲＦＩＤタグ１１０から読み取ったメモリ情報に基づく内容の一部又は全部を出力対象としてユーザに選択させる処理について、出力対象選択方法の異なる実施例を順次説明していく。
【実施例１】
【００３４】
図７は、ＲＦＩＤタグ１１０から読み取ったメモリ情報に基づく内容の一部又は全部を出力対象としてユーザに選択させる画像処理装置の第１実施例の模式図である。スキャナ２は原稿１００から画像情報をスキャンし、その画像情報をコントローラ１に転送する。コントローラ１のＣＰＵは、スキャナ２から転送された画像情報をＨＤＤ１５１に格納する。
【００３５】
ＲＦＩＤリーダ／ライタ４４は、原稿１００のＲＦＩＤタグ１１０からメモリ情報を読み出し、そのメモリ情報をコントローラ１に転送する。コントローラ１のＣＰＵは、ＲＦＩＤリーダ／ライタ４４から転送されたメモリ情報をＲＡＭ１５０およびＨＤＤ１５１に格納する。なお、ＲＦＩＤタグ１１０から読み取ったメモリ情報に基づく内容は画像化が可能である。例えばメモリ情報は、ＲＦＩＤタグ１１０、コントローラ１のＲＡＭ１５０やＨＤＤ１５１、ＵＲＬで指定される画像データを指定している。
【００３６】
コントローラ１のＣＰＵは、ＲＡＭ１５０に格納されたメモリ情報に基づき、図８の画面１０００を操作部６のＬＣＤ（液晶ディスプレイ）に表示させる。図８は、出力対象選択画面の一例のイメージ図である。出力対象選択画面１０００は、画像情報のページとメモリ情報に基づく内容のページとが表示されており、出力対象のページを指定できる。
【００３７】
ユーザは、操作部６のタッチパネル等を操作して、出力対象のページを指定する。図８の出力対象選択画面１０００は、画像情報のページ（原稿）と、メモリ情報に基づく内容のページ（Ｐ１，Ｐ３）とが指定されている例である。ユーザがスタートキーを再度押下すると、操作部６は出力対象として指定された画像情報のページとメモリ情報に基づく内容のページとをコントローラ１に通知する。
【００３８】
コントローラ１のＣＰＵは、ＨＤＤ１５１に格納された画像情報およびメモリ情報を利用して、出力対象として指定された画像情報のページとメモリ情報に基づく内容のページとをフレームメモリ１５２に展開する。なお、ＵＲＬで指定されている画像データはネットワーク８を介して接続されているサーバー／Ｗｅｂ１５４から取得され、ＨＤＤ１５１に格納されたあと、フレームメモリ１５２に展開される。
【００３９】
コントローラ１のＣＰＵはフレームメモリ１５２に展開されている出力対象として指定された画像情報のページとメモリ情報に基づく内容のページとを画像合成回路１５３経由で印刷，電子メール又はファイル転送で出力する。画像合成回路１５３は、必要に応じて画像合成処理を行い、出力対象として指定された画像情報のページとメモリ情報に基づく内容のページとを出力する。例えばプロッタ３は、出力対象として指定された画像情報のページと、メモリ情報に基づく内容のページとを印刷する出力処理を行って処理を終了する。
【００４０】
したがって、本発明による画像処理装置はＲＦＩＤタグ１１０から読み取ったメモリ情報に基づく内容の一部又は全部をページ単位に指定できるので、メモリ情報に基づく内容の一部又は全部を出力対象としてユーザに選択させることができる。
【実施例２】
【００４１】
図９は、ＲＦＩＤタグ１１０から読み取ったメモリ情報に基づく内容の一部又は全部を出力対象としてユーザに選択させる画像処理装置の第２実施例の模式図である。なお、第１実施例の画像処理装置と同様な部分については、適宜説明を省略する。
【００４２】
コントローラ１のＣＰＵは、ＲＡＭ１５０に格納されたメモリ情報に基づき、図１０の画面１１００を操作部６のＬＣＤに表示させる。図１０は、出力対象選択画面の一例のイメージ図である。出力対象選択画面１１００は、メモリ情報に基づく内容の目次と、目次の項目毎のページ数とが表示されており、出力対象を項目で指定できる。
【００４３】
ユーザは、操作部６のタッチパネル等を操作して出力対象の項目を指定する。図１０の出力対象選択画面１１００は、出力対象の項目（第１章  ＡＢＣ、第４章  ＪＫＬ）が指定されている例である。ユーザがスタートキーを再度押下すると、操作部６は出力対象の項目をコントローラ１に通知する。コントローラ１のＣＰＵは、ＨＤＤ１５１に格納された画像情報およびメモリ情報を利用して、出力対象の項目に含まれるページをフレームメモリ１５２に展開する。
【００４４】
コントローラ１のＣＰＵは、出力対象の項目に含まれるページをフレームメモリ１５２から画像合成回路１５３に転送し、必要に応じて画像合成処理を行わせ、出力対象の項目に含まれるページを印刷，電子メール又はファイル転送で出力する。例えばプロッタ３は出力対象の項目に含まれるページを印刷する出力処理を行って処理を終了する。
【００４５】
したがって、本発明による画像処理装置はＲＦＩＤタグ１１０から読み取ったメモリ情報に基づく内容の一部又は全部を目次の項目単位に指定できるので、メモリ情報に基づく内容の一部又は全部を出力対象としてユーザに選択させることができる。
【実施例３】
【００４６】
図１１は、ＲＦＩＤタグ１１０から読み取ったメモリ情報に基づく内容の一部又は全部を出力対象としてユーザに選択させる画像処理装置の第３実施例の模式図である。実施例２と同様、第１実施例の画像処理装置と同様な部分については適宜説明を省略する。
【００４７】
コントローラ１のＣＰＵは、ＨＤＤ１５１に格納されたメモリ情報に基づき、図１２の画面１２００を操作部６のＬＣＤに表示させる。図１２は、出力対象選択画面の一例のイメージ図である。出力対象選択画面１２００は、メモリ情報に基づく内容のページがサムネイル（画像見本）で表示されており、出力対象のページを指定できる。
【００４８】
ユーザは、操作部６のタッチパネル等を操作して、出力対象のページを指定する。図１２の出力対象選択画面１２００は、左側のサムネイル及び右側のサムネイルが指定されている例である。なお、ユーザは操作部６の拡大ボタン１２０１を押下することにより、指定されているサムネイルを図１３のように拡大表示できる。図１３は、サムネイルを拡大表示している出力対象選択画面の一例のイメージ図である。
【００４９】
図１４は、出力対象のサムネイル表示または拡大表示のイメージ図である。出力対象のページ１４００は、メモリ情報に基づく内容のページを１／５に間引くことでサムネイル１４０２を表示でき、またメモリ情報に基づく内容のページの点線部分１４０１を切り出すことでサムネイル１４０２を画面１４０３のように拡大表示できる。
【００５０】
ユーザがスタートキーを再度押下すると、操作部６は出力対象のページをコントローラ１に通知する。コントローラ１のＣＰＵは、ＨＤＤ１５１に格納された画像情報およびメモリ情報を利用して、出力対象のページをフレームメモリ１５２に展開する。
【００５１】
コントローラ１のＣＰＵは、出力対象のページをフレームメモリ１５２から画像合成回路１５３に転送し、必要に応じて画像合成処理を行わせ、出力対象のページを印刷，電子メール又はファイル転送で出力する。例えばプロッタ３は、出力対象のページを印刷する出力処理を行って処理を終了する。
【００５２】
したがって、本発明による画像処理装置はＲＦＩＤタグ１１０から読み取ったメモリ情報に基づく内容の一部又は全部をサムネイル単位に指定できるので、メモリ情報に基づく内容の一部又は全部を出力対象としてユーザに選択させることができる。
【実施例４】
【００５３】
図１５は、ＲＦＩＤタグ１１０から読み取ったメモリ情報に基づく内容の一部又は全部を出力対象としてユーザに選択させる画像処理装置の第４実施例の模式図である。実施例２及び３と同様に、第１実施例の画像処理装置と同様な部分については適宜説明を省略する。
【００５４】
コントローラ１のＣＰＵは、ＲＡＭ１５０に格納されたメモリ情報に基づき、図１６の画面１５００を操作部６のＬＣＤに表示させる。図１６は、出力対象選択画面の一例のイメージ図である。出力対象選択画面１５００は、メモリ情報に基づく内容のページがＵＲＬで表示されており、出力対象のページをＵＲＬで指定できる。なお、ＵＲＬはメモリ情報に基づく内容の格納場所を表している。
【００５５】
ユーザは、操作部６のタッチパネル等を操作して、出力対象のページをＵＲＬで指定する。図１６の出力対象選択画面１５００は、上から２番目及び３番目のＵＲＬが出力対象のページとして指定されている例である。ユーザがスタートキーを再度押下すると、操作部６は出力対象のページをＵＲＬでコントローラ１に通知する。コントローラ１のＣＰＵは、ＵＲＬで指定された出力対象のページを、ネットワーク８経由でサーバー／Ｗｅｂ１５４から取得し、ＨＤＤ１５１に格納したあと、フレームメモリ１５２に展開する。
【００５６】
コントローラ１のＣＰＵは、出力対象のページをフレームメモリ１５２から画像合成回路１５３に転送し、必要に応じて画像合成処理を行わせ、出力対象のページを印刷，電子メール又はファイル転送で出力する。例えばプロッタ３は、出力対象のページを印刷する出力処理を行って処理を終了する。
【００５７】
したがって、本発明による画像処理装置はＲＦＩＤタグ１１０から読み取ったメモリ情報に基づく内容の一部又は全部をＵＲＬ単位に指定できるので、メモリ情報に基づく内容の一部又は全部を出力対象としてユーザに選択させることができる。
【００５８】
図１７は、ＵＲＬで指定された出力対象のページをネットワーク経由で取得する処理の一例のフローチャートである。ステップＳ１００に進み、コントローラ１はスタートキーが押下されたか否かを判定する。スタートキーが押下されなければ（Ｓ１００においてＮＯ）、コントローラ１はステップＳ１００の処理を繰り返す。スタートキーが押下されれば（Ｓ１００においてＹＥＳ）、コントローラ１は原稿１００から画像情報を読み取るステップＳ１０１の処理と、原稿１００のＲＦＩＤタグ１１０の位置を検出するステップＳ１０２の処理とを並行して行う。
【００５９】
ステップＳ１０３に進み、コントローラ１は原稿１００に対するスキャン動作が終了したか否かを判定する。原稿１００に対するスキャン動作が終了していなければ（Ｓ１０３においてＮＯ）、コントローラ１はステップＳ１０１，Ｓ１０２の処理を繰り返し行う。原稿１００に対するスキャン動作が終了すれば（Ｓ１０３においてＹＥＳ）、コントローラ１はステップＳ１０４に進み、ＲＦＩＤタグ１１０からメモリ情報を読み取るＲＦＩＤモードが設定されているか否かを判定する。
【００６０】
ＲＦＩＤモードが設定されていなければ（Ｓ１０４においてＮＯ）、コントローラ１はステップＳ１２０に進み、原稿１００から読み取った画像情報を印刷又は転送する通常の出力処理を行って処理を終了する。一方、ＲＦＩＤモードが設定されていれば（Ｓ１０４においてＹＥＳ）、コントローラ１はステップＳ１０５に進み、原稿１００のＲＦＩＤタグ１１０の位置を検出できたか否かを判定する。
【００６１】
ＲＦＩＤタグ１１０の位置を検出できなければ（Ｓ１０５においてＮＯ）、コントローラ１はステップＳ１２１に進み、ＲＦＩＤタグ１１０が無い旨を表すと共に、原稿１００から読み取った画像情報に対する処理を選択させる画面を操作部６に表示させる。ステップＳ１１８に進み、コントローラ１は画像情報に対する処理として「取り消し」が選択されたか否かを判定する。
【００６２】
「取り消し」が選択されれば（Ｓ１１８においてＹＥＳ）、コントローラ１は原稿１００から読み取った画像情報を出力することなく処理を終了する。「取り消し」が選択されなければ（Ｓ１１８においてＮＯ）、コントローラ１はステップＳ１１９に進み、「原稿のみ出力」が選択されたか否かを判定する。
【００６３】
「原稿のみ出力」が選択されなけば（Ｓ１１９においてＮＯ）、コントローラ１はステップＳ１１８の処理に戻る。即ち、コントローラ１は「取り消し」又は「原稿のみ出力」のどちらか一方が選択されるまでステップＳ１１８，Ｓ１１９の処理を繰り返す。「原稿のみ出力」が選択されれば（Ｓ１１９においてＹＥＳ）、コントローラ１はステップＳ１２０に進み、原稿１００から読み取った画像情報を出力する通常の出力処理を行って処理を終了する。
【００６４】
ＲＦＩＤタグ１１０の位置を検出できれば（Ｓ１０５においてＹＥＳ）、コントローラ１はステップＳ１０６に進み、ユーザの認証と合致するＲＦＩＤタグ１１０を選択するＲＦＩＤ認証処理を行う。ステップＳ１０７に進み、コントローラ１は位置を検出できたＲＦＩＤタグ１１０の個数が１個であるか否かを判定する。
【００６５】
コントローラ１は位置を検出できたＲＦＩＤタグ１１０の個数が１個でなければ（Ｓ１０７においてＮＯ）、ステップＳ１２２に進み、ＲＦＩＤタグ１１０が複数個有る旨を表すと共に、原稿１００から読み取った画像情報に対する処理を選択させる画面を操作部６に表示させたあと、前述したステップＳ１１８に進む。
【００６６】
コントローラ１は位置を検出できたＲＦＩＤタグ１１０の個数が１個であれば（Ｓ１０７においてＹＥＳ）、ステップＳ１０８に進み、キャリッジ１３０を矢印１４４の方向に移動させ、ＲＦＩＤリーダ／ライタ４４がＲＦＩＤタグ１１０と近接する位置でキャリッジ１３０を停止させる。
【００６７】
ステップＳ１０９に進み、コントローラ１はＲＦＩＤタグ１１０からメモリ情報を読み取らせて、そのメモリ情報を転送させる。ステップＳ１１０に進み、コントローラ１はＲＦＩＤタグ１１０から読み取ったメモリ情報に基づき、図１６のような出力対象選択画面１５００を操作部６に表示させる。出力対象選択画面１５００は、メモリ情報に基づく内容のページがＵＲＬで表示されている。
【００６８】
ステップＳ１１１に進み、コントローラ１はユーザが操作部６のタッチパネル等を操作して、出力対象選択画面１５００のＵＲＬを選択したか否かを判定する。ＵＲＬが選択されなければ（Ｓ１１１においてＮＯ）、コントローラ１はステップＳ１１１の処理を繰り返す。ＵＲＬが選択されれば（Ｓ１１１においてＹＥＳ）、コントローラ１はステップＳ１１２に進み、出力対象選択画面１５００の確定キーが押下されたか否かを判定する。
【００６９】
確定キーが押下されなければ（Ｓ１１２においてＮＯ）、コントローラ１はステップＳ１１２の処理を繰り返す。確定キーが押下されれば（Ｓ１１２においてＹＥＳ）、コントローラ１はネットワーク８経由でサーバー／Ｗｅｂ１５４から、ＵＲＬで指定されている画像データをダウンロードし、フレームメモリ１５２に展開する。
【００７０】
ステップＳ１１４に進み、コントローラ１はＵＲＬで指定されている画像データのダウンロードが終了したか否かを判定する。ダウンロードが終了していなければ（Ｓ１１４においてＮＯ）、コントローラ１はステップＳ１１４の処理を繰り返す。ダウンロードが終了すれば（Ｓ１１４においてＹＥＳ）、コントローラ１はステップＳ１１５に進み、途中終了であるか否かを判定する。
【００７１】
途中終了であると判定すれば（Ｓ１１５においてＹＥＳ）、コントローラ１はステップＳ１１６に進み、ＵＲＬで指定されている画像データのダウンロードが異常終了した旨を表す図１８のような画面１６００を操作部６に表示する。図１８は、ＵＲＬで指定されている画像データをダウンロードできなかった場合に操作部に表示する画面のイメージ図である。画面１６００は、ＵＲＬで指定されている画像データのダウンロードが異常終了した旨が表示されると共に、原稿１００から読み取った画像情報に対する処理を選択させる仕組みが設けられている。
【００７２】
コントローラ１は、図１８の画面１６００を操作部６に表示したあと、前述したステップＳ１１８に進む。途中終了でないと判定すれば（Ｓ１１５においてＮＯ）、コントローラ１はステップＳ１１７に進み、出力対象のページを印刷又は転送する出力処理を行って処理を終了する。
【００７３】
図１７のフローチャートによれば、ＲＦＩＤタグ１１０を検出できなかった場合、複数のＲＦＩＤタグ１１０を検出してしまった場合、ＵＲＬで指定されている画像データのダウンロードに失敗した場合に、処理の停止または原稿１００から読み取った画像情報のみの出力を選択できる。また、複数個のＲＦＩＤタグ１１０を検出した場合、ユーザの認証と合致するＲＦＩＤタグ１１０のみを選択できる。
（効果）
郵送されるハガキや封筒の中には、個人情報や機密情報が含まれることがあり、他人に盗まれても中を見られないような仕組みが必要である。そこで、紙上には個人情報等を記載せずに紙に内蔵されたＲＦＩＤタグに情報を書き込み、認証と照合しない限り中を見られない機密性を高めた仕組みを提供できる。
【００７４】
また、重要書類ではなくても、概略を記述した紙にＲＦＩＤタグを内蔵して配布し、配布された人のうち必要な人だけがＲＦＩＤタグから詳細情報を得るようにすることで、無駄な紙の消費を低減できる。
【００７５】
このようなＲＦＩＤタグから情報を得る場合、本発明のように出力する情報を選択する構成を設けることにより、ユーザの使い勝手を向上させつつ、ＴＣＯの削減を図ることができる。
【図面の簡単な説明】
【００７６】
【図１】本発明による画像処理装置の一実施例のハードウェア構成図である。
【図２】本発明による画像処理装置の一実施例のソフトウェア構成図である。
【図３】スキャナ、ＲＦＩＤリーダ／ライタ及び原稿の関係を表した図である。
【図４】原稿給紙装置にセットされた原稿から画像情報およびメモリ情報を読み取る画像処理装置の一例の模式図である。
【図５】原稿給紙装置にセットされた原稿から画像情報およびメモリ情報を読み取って出力する処理の一例のシーケンス図である。
【図６】ＲＦＩＤリーダ／ライタの装着位置を表した模式図である。
【図７】ＲＦＩＤタグから読み取ったメモリ情報に基づく内容の一部又は全部を出力対象としてユーザに選択させる画像処理装置の第１実施例の模式図である。
【図８】出力対象選択画面の一例のイメージ図である。
【図９】ＲＦＩＤタグから読み取ったメモリ情報に基づく内容の一部又は全部を出力対象としてユーザに選択させる画像処理装置の第２実施例の模式図である。
【図１０】出力対象選択画面の一例のイメージ図である。
【図１１】ＲＦＩＤタグ１１０から読み取ったメモリ情報に基づく内容の一部又は全部を出力対象としてユーザに選択させる画像処理装置の第３実施例の模式図である。
【図１２】出力対象選択画面の一例のイメージ図である。
【図１３】サムネイルを拡大表示している出力対象選択画面の一例のイメージ図である。
【図１４】出力対象のサムネイル表示または拡大表示のイメージ図である。
【図１５】ＲＦＩＤタグ１１０から読み取ったメモリ情報に基づく内容の一部又は全部を出力対象としてユーザに選択させる画像処理装置の第４実施例の模式図である。
【図１６】出力対象選択画面の一例のイメージ図である。
【図１７】ＵＲＬで指定された出力対象のページをネットワーク経由で取得する処理の一例のフローチャートである。
【図１８】ＵＲＬで指定されている画像データをダウンロードできなかった場合に操作部に表示する画面のイメージ図である。
【符号の説明】
【００７７】
１    コントローラ
２    スキャナ
３    プロッタ
４    原稿給紙装置
５    後処理装置
６    操作部
７    個人認証装置
４４    ＲＦＩＤリーダ／ライタ
１００    原稿
１１０    ＲＦＩＤタグ
１３０    キャリッジ
【図１】
2005354590.tif 000003
【図２】
2005354590.tif 000004
【図３】
2005354590.tif 000005
【図４】
2005354590.tif 000006
【図５】
2005354590.tif 000007
【図６】
2005354590.tif 000008
【図７】
2005354590.tif 000009
【図８】
2005354590.tif 000010
【図９】
2005354590.tif 000011
【図１０】
2005354590.tif 000012
【図１１】
2005354590.tif 000013
【図１２】
2005354590.tif 000014
【図１３】
2005354590.tif 000015
【図１４】
2005354590.tif 000016
【図１５】
2005354590.tif 000017
【図１６】
2005354590.tif 000018
【図１７】
2005354590.tif 000019
【図１８】
2005354590.tif 000020